(57)【特許請求の範囲】
【請求項１】
断面略円弧状のベース形成部と、該ベース形成部の上端に形成された上部固定フランジと、前記ベース形成部の下端に形成された下部固定フランジと、前記ベース形成部の周方向に形成された複数の中空状のリブとを備えた基礎のベース型枠において、
複数の前記基礎のベース型枠を重ね合わせたとき、相互に接する前記リブが嵌合するように前記リブに中空状嵌合部が形成されたことを特徴とする基礎のベース型枠。
【請求項２】
複数の前記基礎のベース型枠を重ね合わせたとき、一方の前記基礎のベース型枠の中空状嵌合部の裏側に他方の前記基礎のベース型枠の中空状嵌合部の表側が嵌合されることを特徴とする請求項１に記載の基礎のベース型枠。
【請求項３】
断面略円弧状のベース形成部と、該ベース形成部の上端に形成された上部固定フランジと、前記ベース形成部の下端に形成された下部固定フランジと、前記ベース形成部の周方向に形成された複数の中空状のリブとを備えた基礎のベース型枠において、
前記リブに頂部中空状嵌合部と基部中空状嵌合部が、間隔をあけて並べて形成され、且つ、複数の前記基礎のベース型枠を重ね合わせたときに、相互に接する一方のリブの前記頂部中空状嵌合部と他方のリブの前記基部中空状嵌合部とが相互に嵌合するように形成されたことを特徴とする基礎のベース型枠。
【請求項４】
複数の前記基礎のベース型枠を重ね合わせたとき、一方の前記基礎のベース型枠の基部中空状嵌合部の裏側と、他方の前記基礎のベース型枠の頂部中空状嵌合部の表側とが嵌合されることを特徴とする請求項３に記載の基礎のベース型枠。
【発明の詳細な説明】
【０００１】
【発明の属する技術分野】
本発明は、基礎のベース型枠が生産される工場、それが使用される住宅施工現場等において、運搬し易いように簡単に束ねることができる基礎のベース型枠に関する。
【０００２】
【従来の技術】
従来、一度に多数の基礎のベース型枠を持ち運んだり、運搬したりする場合、バラバラに散乱しないように、これらを重ね合わせてダンボール等で梱包してから行っていた。
【０００３】
ところが、ダンボール等で多数の基礎のベース型枠を梱包する作業は、通常、多くの時間と労力を費やす。また、この基礎のベース型枠が使用される住宅等の施工現場においては、解かれたダンボール等の梱包材がゴミとなり、このゴミを処理する手間も生じる。紐で前記多数の基礎のベース型枠を結束して運搬等することも考えられるが、紐を結んだり解いたりする作業は煩わしく、又、上記したダンボールほど量的に多くはないが、施工現場等で解かれた紐もゴミとなり、これを処理する手間が生じる。
【０００４】
【発明が解決しようとする課題】
本発明は、上記課題に鑑みてなされたものであって、本発明の目的は、複数の基礎のベース型枠を簡単に短時間で束ねることができ、且つ、束ねられた基礎のベース型枠から１つを取り出して使用する際に、ゴミが発生しない基礎のベース型枠の束を提供することである。
【０００５】
【課題を解決するための手段】
上記目的を達成するために、請求項１記載の基礎のベース型枠は、断面略円弧状のベース形成部と、該ベース形成部の上端に形成された上部固定フランジと、前記ベース形成部の下端に形成された下部固定フランジと、前記ベース形成部の周方向に形成された複数の中空状のリブとを備えた基礎のベース型枠において、複数の前記基礎のベース型枠を重ね合わせたとき、相互に接する前記リブが嵌合するように前記リブに中空状嵌合部が形成されたことを特徴としている。
請求項２記載の基礎のベース型枠は、請求項１に記載の基礎のベース型枠において、複数の前記基礎のベース型枠を重ね合わせたとき、一方の前記基礎のベース型枠の中空状嵌合部の裏側に他方の前記基礎のベース型枠の中空状嵌合部の表側が嵌合されることを特徴としている。
【０００６】
請求項３記載の基礎のベース型枠は、断面略円弧状のベース形成部と、該ベース形成部の上端に形成された上部固定フランジと、前記ベース形成部の下端に形成された下部固定フランジと、前記ベース形成部の周方向に形成された複数の中空状のリブとを備えた基礎のベース型枠において、前記リブに頂部中空状嵌合部と基部中空状嵌合部が、間隔をあけて並べて形成され、且つ、複数の前記基礎のベース型枠を重ね合わせたときに、相互に接する一方のリブの前記頂部中空状嵌合部と他方のリブの前記基部中空状嵌合部とが相互に嵌合するように形成されたことを特徴としている。
請求項４記載の基礎のベース型枠は、請求項３に記載の基礎のベース型枠において、複数の前記基礎のベース型枠を重ね合わせたとき、一方の前記基礎のベース型枠の基部中空状嵌合部の裏側と、他方の前記基礎のベース型枠の頂部中空状嵌合部の表側とが嵌合されることを特徴としている。
【０００７】
【発明の実施の形態】
以下、本発明の実施の形態に係る基礎のベース型枠について、図面に基づいて説明する。通常、基礎のベース型枠１には、図１に示す基礎の直線部に使用する直線部用基礎のベース型枠１Ａ、基礎の出隅部に使用する出隅部用基礎のベース型枠１Ｂ（図１０）及び基礎の入隅部に使用する入隅部用基礎のベース型枠１Ｃ（図１１）の３種類のものがある。
【０００８】
このうち、図１に示す前記直線部用基礎のベース型枠１Ａは、例えば、断面略円弧状のベース形成部２と、該ベース形成部２の上端に形成された上部固定フランジ３と、前記ベース形成部２の下端に形成された下部固定フランジ４と、前記ベース形成部２の周方向に成形加工されて形成された複数の中空状のリブ２ａと、前記上部固定フランジ３に、他の型枠のリブとの接触を回避するための切欠部３ａとを備えたものである。なお、図示しないが、通常、前記上部固定フランジ３には、他の型枠の下部にこれを固定するための押え板を挿入する長穴が設けられ、又、前記下部固定フランジ４には、地業された地面への留め金具等を挿入するための穴が設けられる。
【０００９】
そして、前記直線部用基礎のベース型枠１Ａの前記リブ２ａの表側両側部には、図１及び図２に示すように、複数の前記直線部用基礎のベース型枠１Ａを前記リブ２ａを嵌合させながら重ね合わせたときに、相互に嵌合するように略円錘形状の中空状嵌合部２ｂが形成されている。この中空状嵌合部２ｂは中空状のものであり、前記直線部用基礎のベース型枠１Ａの表側において前記リブ２ａの両側部から突出し、その裏側において前記両側部から陥没している。
【００１０】
このように、前記中空状嵌合部２ｂが前記リブ２ａに設けられた前記直線部用基礎のベース型枠１Ａを、図３に示すように重ね合わせて束ねる場合、相互に接する一方の前記直線部用基礎のベース型枠１Ａのリブ２ａの裏側に、他方の前記直線部用基礎のベース型枠１Ａのリブ２ａの表側を嵌め合わせて押し込む。すると、図４に示すように、図中上に示した前記一方の直線部用基礎のベース型枠１Ａのリブ２ａは、図中下に示した前記他方の直線部用基礎のベース型枠１Ａの前記中空状嵌合部２ｂによって外側に押し広げられると共に、前記他方の直線部用基礎のベース型枠１Ａ（図中下）の前記リブ２ａ及前記中空状嵌合部２ｂは、前記一方の直線部用基礎のベース型枠１Ａ（図中上）の前記リブ２ａの裏側面に押さえつけられて内側に圧縮される。そして更に、前記一方の直線部用基礎のベース型枠１Ａ（図中上）のリブ２ａに、前記他方の直線部用基礎のベース型枠１Ａのリブ２ａ（図中下）を押し込むと、図５に示すように、前記一方の直線部用基礎のベース型枠１Ａの中空状嵌合部２ｂの裏側に前記他方の直線部用基礎のベース型枠１Ａの中空状嵌合部部２ｂの表側が嵌合され、これら直線部用基礎のベース型枠１Ａは互いに固定される。更に他の前記直線部用基礎のベース型枠１Ａをこれら相互に固定された直線部用基礎のベース型枠１Ａの上又は下から、同様に固定してゆき、複数の前記直線部用基礎のベース型枠１Ａを１つに束ねる。
【００１１】
なお、上記した中空状嵌合部２ｂは、前記リブ２ａの両側部に設けられているが、片側部のみに設けられてもよい。また、図１示したように全てのリブ２ａに前記中空状嵌合部２ｂを設けるのではなく、１部のリブ２ａに設けるようにしてもよい。更にまた、前記中空嵌合部２ｂは、上記した略円錘形状のものに限定されず、例えば図６に示すような前記リブ２ａの両側部全体にわたって連続的に突設された中空状嵌合部２ｅ等でもよい。結局のところ、複数の前記直線部用基礎のベース型枠１Ａを重ね合わせて、前記直線部用基礎のベース型枠１Ａのリブ２ａを嵌合させたとき、嵌合された前記リブ２ａが手で外す場合を除いて簡単に外れないように、前記リブ２ａに中空状の嵌合部が設けられたものであればよい。
【００１２】
また、前記リブ２ａの表側の側部から突出して設けられた前記中空状嵌合部２ｂ、２ｅを設ける代わりに、図７に示すように、前記リブ２ａの表側の側部から陥没して設けられた中空状嵌合部２ｄを設けてもよい。このように中空状嵌合部２ｄを設けて、前記直線部用基礎のベース型枠１Ａを束ねるときも、前記リブ２ａの表側側部から突設された中空状嵌合部２ｂを設けた前記直線部用基礎のベース型枠１Ａと同様に、相互に接する一方の直線部用基礎のベース型枠１Ａのリブ２ａの裏側に、他方の前記直線部用基礎のベース型枠１Ａのリブ２ａの表側を押し込んで、相互に固定する。
【００１３】
前記一方の中空状嵌合部２ｄが形成された直線部用基礎のベース型枠１Ａのリブ２ａの裏側に、前記他方の直線部用基礎のベース型枠１Ａのリブ２ａの表側を押し込むとき、図８に示すように、前記一方の直線部用基礎のベース型枠１Ａ（図中上）は、前記他方の直線部用基礎のベース型枠１Ａ（図中下）のリブ２ａによって押し広げられると共に、前記他方の直線部用基礎のベース型枠１Ａ（図中下）の前記リブ２ａは、前記一方の直線部用基礎のベース型枠１Ａ（図中上）の前記中空状嵌合部２ｄの裏側面に押さえつけられて内側に圧縮される。更に前記一方の直線部用基礎のベース型枠１Ａ（図中上）のリブ２ａの裏側に、前記他方の直線部用基礎のベース型枠１Ａ（図中下）のリブ２ａを押し込むと、図９に示すように、前記一方の直線部用基礎のベース型枠１Ａの中空状嵌合部２ｄの裏側に前記他方の前記直線部用基礎のベース型枠１Ａの中空状嵌合部２ｄの表側が嵌合される。この結果、前記一方の直線部用基礎のベース型枠１Ａと前記他方の前記直線部用基礎のベース型枠１Ａは、互いに固定される。更に他の前記直線部用基礎のベース型枠１Ａをこの上又は下から、同様に固定してゆき、複数の前記直線部用基礎のベース型枠１Ａを１つに束ねる。
【００１４】
住宅の施工現場等において、上記のようにして１つに束ねられた前記直線部用基礎のベース型枠１Ａを使用する場合は、束ねられた前記直線部用基礎のベース型枠１Ａの束から１枚或いは必要枚数を手で引き離して簡単に取り出すことができる。なお、前記束から１枚或いは必要枚数を手で引き離す際、前記リブ２ａに設けられた前記中空状嵌合部２ｂ、２ｄ、２ｅ等の相互の嵌合が通常の人の手の力で外れるように、前記中空状嵌合部２ｂ、２ｄ、２ｅ等の厚さ、大きさ等が考慮されている。
【００１５】
前記出隅部用基礎のベース型枠１Ｂ及び前記入隅部用基礎のベース型枠１Ｃについても、上記直線部用基礎のベース型枠１Ａと同様に、リブ２ａに上記中空状嵌合部２ｂが設けられており、同様にして複数のものを１つに束ねることができる。又、前記中空状嵌合部２ｂの代わりに前記中空状嵌合部２ｄや前記リブ２ａの両側面全体に形成された中空状嵌合部２ｅ等が設けられても同様にして複数のものを１つに束ねることができる。
【００１６】
前記出隅部用基礎のベース型枠１Ｂは、例えば図１０に示すように、基礎の外側コーナのベース形状に対応して、その中間において直角に曲がった形状を有し、前記直線部用基礎のベース型枠１Ａと同様にしてリブ２ａが形成された断面略円弧状のベース形成部２を有し、その上端に上部固定フランジ３を、その下端に下部固定フランジ４を具備したものである。そして、前記出隅部用基礎のベース型枠１Ｂのリブ２ａの両側部には、前記直線部用基礎のベース型枠１Ａのリブ２ａに設けられたものと同じ中空状嵌合部２ｂが設けられている。
【００１７】
前記入隅部用基礎のベース型枠１Ｃは、例えば図１１に示すように、基礎の内側コーナのベース形状に対応して、その中間において直角に曲がった形状を有し、前記直線部用基礎のベース型枠１Ａと同様にリブ２ａが形成された断面円弧状のベース形成部２を有し、その上端に上部固定フランジ３を、その下端に下部固定フランジ４を具備したものである。そして、前記リブ２ａの両側部に、前記直線部用基礎のベース型枠１Ａに設けられたものと同じ中空状嵌合部２ｂが設けられている。
【００１８】
以下、他の実施の形態について説明する。前記基礎のベース型枠１の前記リブ２ａに、上記した中空状嵌合部２ｂ、２ｄが形成される代わりに、図１２に示すように、前記リブ２ａ表側の頂側において突出して形成された頂部中空状嵌合部２ｆと、前記リブ２ａ表側の基側において突出して形成された基部中空状嵌合部２ｇが、間隔をあけて並べて設けられ、且つ、複数の前記基礎のベース型枠１を前記リブ２ａを嵌合させながら重ね合わせたときに、相互に接する一方のリブ２ａの前記頂部中空状嵌合部２ｆと他方のリブ２ａの前記基部中空状嵌合部２ｇとが相互に嵌合するように形成された基礎のベース型枠１Ｄであれば、前記中空状嵌合部２ｂ、２ｄ等が形成された前記基礎のベース型枠１より多数の基礎のベース型枠を束ねることが可能である。すなわち、前記基礎のベース型枠１においては、束ねた枚数と同じ枚数の前記中空状嵌合部２ｂ、２ｄ等が同一箇所において重合しながら嵌合することから、一定枚数以上になると１つに束ねることが困難になる。しかし、この基礎のベース型枠１Ｄによると、束ねる枚数に影響されずに、確実に１つに束ねることができる。なお、図１３に示すように、前記頂部中空状嵌合部２ｆの代わりに前記リブ２ａ表側の頂側において陥没して形成された頂部中空状嵌合部２ｈが、及び、前記基部中空状嵌合部２ｇの代わりに前記リブ２ａ表側の基側において陥没して形成された基部中空状嵌合部２ｉが形成された基礎のベース型枠１Ｄであっても同様にして１つに束ねることができる。
【００１９】
複数の前記基礎のベース型枠１Ｄを束ねるとき、上記した直線部用基礎のベース型枠１Ａの場合と同様に、相互に接する一方の基礎のベース型枠１Ｄのリブ２ａの裏側に他方の前記基礎のベース型枠１Ｄのリブ２ａを嵌め合わせて押し込み、図１４又は図１５に示すように、前記一方の前記基部中空状嵌合部２ｇ、２ｉの裏側と、前記他方の前記頂部中空状嵌合部２ｆ、２ｈの表側とを相互に嵌合させて相互に固定する。
【００２０】
【発明の効果】
請求項１記載の基礎のベース型枠は、断面略円弧状のベース形成部と、該ベース形成部の上端に形成された上部固定フランジと、前記ベース形成部の下端に形成された下部固定フランジと、前記ベース形成部の周方向に形成された複数の中空状のリブとを備えた基礎のベース型枠において、複数の前記基礎のベース型枠を重ね合わせたとき、相互に接する前記リブが嵌合するように前記リブに中空状嵌合部が形成されたものであるので、相互に中空状嵌合部を嵌合させながら重ね合わせるだけで、複数の基礎のベース型枠を簡単に１つに束ねることができる。使用に際しては、このようにして束ねられた基礎のベース型枠から必要なだけ手で簡単に取り出すことができ、このときに梱包材等のゴミが発生することもない。
【００２１】
請求項３記載の基礎のベース型枠は、断面略円弧状のベース形成部と、該ベース形成部の上端に形成された上部固定フランジと、前記ベース形成部の下端に形成された下部固定フランジと、前記ベース形成部の周方向に形成された複数の中空状のリブとを備えた基礎のベース型枠において、前記リブに頂部中空状嵌合部と基部中空状嵌合部が、間隔をあけて並べて形成され、且つ、複数の前記基礎のベース型枠を重ね合わせたときに、相互に接する一方のリブの前記頂部中空状嵌合部と他方のリブの前記基部中空状嵌合部とが相互に嵌合するように形成されたものであるので、請求項１記載の基礎のベース型枠と同様の効果を有すると共に、前記基部中空状嵌合部と前記頂部中空状嵌合部とを相互に嵌合させながら重ね合わせて束ねることにより、多数の基礎のベース型枠を１つに束ねることができる。
【図面の簡単な説明】
【図１】本実施の形態に係る直線部用基礎のベース型枠の斜視図である。
【図２】図１のＡ−Ａ断面図である。
【図３】直線部用基礎のベース型枠を束ねた状態を示した斜視図である。
【図４】リブに設けた中空状嵌合部を嵌合させるときのリブ及び中空状嵌合部の断面を示した説明図であって、図２と同じ箇所を示した断面図である。
【図５】基礎のベース型枠を重ね合わせたときの、リブ及び中空状嵌合部の嵌合した状態を示した説明図であって、図２と同じ箇所を示した断面図である。
【図６】リブの両側部全体に形成された中空状嵌合部を示した斜視図である。
【図７】図１のＡ−Ａ断面において、リブから突出した中空状嵌合部の代わりにリブから陥没した中空状嵌合部が形成された場合の断面図である。
【図８】リブに設けた中空状嵌合部を嵌合させるときのリブ及び中空状嵌合部の断面を示した説明図であって、図７と同じ箇所を示した断面図である。
【図９】基礎のベース型枠を重ね合わせたときの、リブ及び中空状嵌合部の嵌合した状態を示した説明図であって、図７と同じ箇所を示した断面図である。
【図１０】本実施の形態に係る出隅部用基礎のベース型枠の斜視図である。
【図１１】本実施の形態に係る入隅部用基礎のベース型枠の斜視図である。
【図１２】図１のＡ−Ａ断面において、中空状嵌合部の代わりに頂部中空状嵌合部と基部中空状嵌合部が形成された場合の断面図である。
【図１３】図１のＡ−Ａ断面において、中空状嵌合部の代わりに頂部中空状嵌合部と基部中空状嵌合部が形成された場合の断面図である。
【図１４】他の実施の形態に係る基礎のベース型枠を束ねたときの、リブ、頂部中空状嵌合部及び基部中空状嵌合部の嵌合状態の説明図であって、図１２と同じ箇所を示した断面図である。
【図１５】他の実施の形態に係る基礎のベース型枠を束ねたときの、リブ、頂部中空状嵌合部及び基部中空状嵌合部の嵌合状態の説明図であって、図１３と同じ箇所を示した断面図である。
【符号の説明】
１    基礎のベース型枠
２  ベース形成部
２ａ  リブ
２ｂ、２ｄ、２ｅ  中空状嵌合部
２ｆ、２ｈ  頂部中空状嵌合部
２ｇ、２ｉ  基部中空状嵌合部
３  上部固定フランジ
４  下部固定フランジ
【図１】
0003797597.tif 000002
【図２】
0003797597.tif 000003
【図３】
0003797597.tif 000004
【図４】
0003797597.tif 000005
【図５】
0003797597.tif 000006
【図６】
0003797597.tif 000007
【図７】
0003797597.tif 000008
【図８】
0003797597.tif 000009
【図９】
0003797597.tif 000010
【図１０】
0003797597.tif 000011
【図１１】
0003797597.tif 000012
【図１２】
0003797597.tif 000013
【図１３】
0003797597.tif 000014
【図１４】
0003797597.tif 000015
【図１５】
0003797597.tif 000016